(57)【要約】  本発明によるシステムおよび方法が、ＷＬＡＮ送受信器（３０）とブルートゥース（ＢＴ）送受信器（３２）とが送信媒体を共用できるようにする調停の方法、システム、および装置を提供する。様々な調停信号（ＢＴ、ＷＬ、ＲＸＩＮＤ、およびＰＲＩ）により、送受信器は媒体の使用権獲得を示すことが可能となり、ならびに特別な調停ケース、例えば優先パケットの送／受信などにも対応できるようになる。一部の調停機能は、設計に融通性をもたらすためにハードウェア・プログラムが可能である。【特許請求の範囲】
【請求項１】
第１送受信器と第２送受信器との間で無線媒体へのアクセスを調停する方法であって、（ａ）前記第２送受信器により第１調停信号線をアサートするステップであって、その際、前記第１送受信器が送信を妨げられることになるステップと、（ｂ）前記第１送受信器により第２調停信号線をアサートするステップであって、その際、前記第２送受信器が送信を妨げられることになるステップと、（ｃ）前記第２送受信器により第３調停信号線をアサートするステップであって、その際、前記第２送受信器が優先パケットを送信または受信することになるステップと、（ｄ）前記第１送受信器により第４調停信号線をアサートするステップであって、その間に前記第１送受信器が第１着信パケットに関連するアドレスを評価するステップとを含む、方法。
【請求項２】
前記第２送受信器および前記第１送受信器が同一の装置にコロケートされる、請求項１に記載の方法。
【請求項３】
前記第１送受信器がＷＬＡＮ送受信器であり、前記第２送受信器がブルートゥース送受信器である、請求項１に記載の方法。
【請求項４】
ステップ（ｂ）が、（ｂ）前記第１着信パケットが前記第１送受信器に宛てられている場合、あるいは前記第１着信パケットがマルチキャスト・パケットである場合に、前記第１送受信器により前記第２調停信号線をアサートするステップをさらに含む、請求項１に記載の方法。
【請求項５】
前記ステップ（ｂ）が、前記第１送受信器が、複数の第１パケットを送信し対応する応答パケットを受信するまで、第１期間のあいだ前記第２調停信号線をアサートされた状態に維持するステップをさらに含む、請求項１に記載の方法。
【請求項６】
前記第１期間を、前記第２調停信号が前記アサートされた状態のままで前記第１送受信器が断片化フレームまたはフレーム・バーストを検出できるようにする第２期間によって延長するステップを含む、請求項５に記載の方法。
【請求項７】
前記第２期間が、前記第１送受信器に関連してハードウェアでプログラム可能である、請求項６に記載の方法。
【請求項８】
前記ステップ（ｂ）が、（ｂ）パケットの送信に関連するバックオフ期間中の所定の時間に、前記第１送受信器により前記第２調停信号線をアサートするステップをさらに含む、請求項１に記載の方法。
【請求項９】
前記所定の時間が、前記第１送受信器に関連するハードウェアでハードウェア・プログラムが可能である、請求項８に記載の方法。
【請求項１０】
前記所定の時間が適宜可変である、請求項８に記載の方法。
【請求項１１】
所定の時間内での前記第２調停信号線の連続したアサートを妨げるステップをさらに含む、請求項１に記載の方法。
【請求項１２】
前記所定の時間が、前記第１送受信器に関連するハードウェアでハードウェア・プログラムが可能である、請求項１１に記載の方法。
【請求項１３】
ステップ（ａ）の実施に、前記第２調停信号線がアサートされていないことを判定するステップが先行する、請求項１に記載の方法。
【請求項１４】
前記第１調停信号線をアサートした後、前記第１調停信号線が確かに上げられていないようにチェックするステップと、前記第２送受信器によりパケットを送信するステップとをさらに含む、請求項１３に記載の方法。
【請求項１５】
第１パケットを送信および受信するための第１送受信器と、第２パケットおよび前記第１送受信器を第２送受信器に接続する複数の調停信号線を送信および受信するための第２送受信器とを含む送受信器システムであって、前記複数の調停信号線が、前記第２送受信器によりアサートされ、その際、前記第１送受信器が送信を妨げられることになる、第１調停信号線と、前記第１送受信器によりアサートされ、その際、前記第２送受信器が送信を妨げられることになる、第２調停信号線と、前記第２送受信器によりアサートされ、その際、前記第２送受信器が優先パケットを送信または受信することになる、第３調停信号線と、前記第１送受信器によりアサートされ、その間に前記第１送受信器が第１着信パケットに関連するアドレスを評価する、第４調停信号線とを含む、送受信器システム。
【請求項１６】
前記第２送受信器および前記第１送受信器が同一の装置にコロケートされる、請求項１５に記載のシステム。
【請求項１７】
前記第１送受信器がＷＬＡＮ送受信器であり、前記第１パケットがＷＬＡＮパケットであり、前記第２送受信器がブルートゥース送受信器であり、前記第２パケットがブルートゥース・パケットである、請求項１５に記載のシステム。
【請求項１８】
前記第１着信パケットが、前記第１送受信器に宛てられている場合、あるいは前記第１着信パケットがマルチキャスト・パケットである場合に、前記第１送受信器が前記第２調停信号線をアサートする、請求項１５に記載のシステム。
【請求項１９】
前記第１送受信器が、前記第１送受信器が複数の第１パケットを送信し対応する応答パケットを受信するまで、第１期間のあいだ前記第２調停信号線をアサートされた状態に維持する、請求項１５に記載のシステム。
【請求項２０】
前記第１送受信器が、前記第１期間を、前記第２調停信号が前記アサートされた状態のままで前記第１送受信器が断片化フレームまたはフレーム・バーストを検出できるようにする第２期間によって延長する、請求項１９に記載のシステム。
【請求項２１】
前記第２期間が、前記第１送受信器に関連してハードウェアでプログラム可能である、請求項２０に記載のシステム。
【請求項２２】
前記第１送受信器が、第１パケットの送信に関連するバックオフ期間中の所定の時間に、前記第２調停信号線をアサートする、請求項１５に記載のシステム。
【請求項２３】
前記所定の時間が、前記第１送受信器に関連するハードウェアでハードウェア・プログラムが可能である、請求項２２に記載のシステム。
【請求項２４】
前記所定の時間が適宜可変である、請求項２２に記載のシステム。
【請求項２５】
前記システムが、所定の時間内での前記第２調停信号線の連続したアサートを妨げる、請求項１５に記載のシステム。
【請求項２６】
前記所定の時間が、前記第１送受信器に関連するハードウェアでハードウェア・プログラムが可能である、請求項２５に記載のシステム。
【請求項２７】
第２前記送受信器が、前記第１調停信号線のアサートに先行して、前記第２調停信号線がアサートされないことを判定する、請求項１５に記載のシステム。
【請求項２８】
第２前記送受信器が、前記第１調停信号線をアサートした後、前記第１調停信号線が確かに上げられていないことをチェックし、次いで、第２パケットを送信する、請求項２７に記載のシステム。
【発明の詳細な説明】
【技術分野】
【０００１】
本発明は一般に、無線通信システムに関し、より詳細には、互いに近接する異なる送受信器、例えばブルートゥース送受信器と無線ＬＡＮ送受信器とを操作する技術に関する。
【背景技術】
【０００２】
情報通信に関連した技術は、ここ数十年で急速に進化している。例えば無線通信技術は、当初は物珍しく見られていた製品の供給から移動体通信に必須の手段である製品の供給へとこの２０年で移行した。おそらく、このような無線技術の中でもっとも影響力があるのは、携帯電話のシステムおよび製品であった。携帯電話技術は、既存の無線通信システムに移動という拡張性（mobile extension）をもたらすべく登場し、従来の回線交換式無線パスを使用してユーザにどこでも通信可能である覆域（ubiquitous coverage）を提供した。しかし、より最近では、ほとんどすべての通信エリアで、無線通信技術が有線接続に取って代わり始めている。ＷＬＡＮ（Wireless local area networks、無線ローカル・エリア・ネットワーク）は、家庭とオフィスの両方で急速に従来の有線ネットワークに替る人気の技術となりつつある。同じくして、ＰＤＡとコンピュータとの間などでデータの移動を行うブルートゥース無線リンクは、他の近距離アプリケーション、例えば無線ヘッドセットなどに対応して普及してきている。
【０００３】
ＷＬＡＮ技術とブルートゥース技術はどちらも近距離での無線データ通信を提供するが、異なるアプリケーションに対応するので、ＷＬＡＮ装置とブルートゥース装置が互いに近接して操作されることがより一般的となってきている。例えば、図１（ａ）に示されるように、無線アクセス・ポイント（ＡＰ）がＷＬＡＮリンクを介してハンドセットと通信している同じ時に、ヘッドセットがブルートゥース・リンクを介してそのハンドセットと通信していることができる。
【０００４】
この使用シナリオでは、ブルートゥース装置とＷＬＡＮ装置が部分的に重複する帯域幅を使用することから、両者の間で干渉を生じさせる可能性がある。例えば、図１（ｂ）に示すように、ブルートゥース装置は、そのアクセス機構として周波数ホッピングを使用する。ブルートゥース送信器は、１ＭＨｚ幅ごとに７９あるチャネル間で１秒間に１６００回チャネル切換え（hop）を行う。一方、ＩＥＥＥ８０２．１１ｂ／ｇに準じて動作するＷＬＡＮ装置は、ＬＢＴ（listen-before-talk、電波を送出する前に外部からの電波を調べて送出可能かどうかを決める手法）（ＣＳＭＡ（Carrier Sensing Multiple Access、搬送波感知多重アクセス））機構を使用する。この機構は、３つの特定の重複しない２２チャネル／ＭＨｚ幅を用いる。その結果、ブルートゥース装置がＷＬＡＮチャネル内で送信を試みる可能性は２７．８％（２２÷７９）ある。ＷＬＡＮ信号の相対的強度しだいでは、ブルートゥース信号が、あるいはブルートゥース信号およびＷＬＡＮ信号の両方が破損し、受信器がデータを複合できなくなる。
【０００５】
チャネル重複によって生じる問題に加え、ＷＬＡＮ送受信器とブルートゥース送受信器の両方が同じ装置、例えば携帯電話またはＰＤＡに統合されるという次第に一般的となりつつあるシナリオにおいて、別の問題も生じる。この状況では、前記装置の一方の送受信器から送信される信号が、もう一方の送受信器の受信信号の処理過程（receive signal chain）内のチャネル・フィルタの前に置かれた低ノイズ増幅器（ＬＮＡ）を飽和状態にする可能性がある。このコロケーションに起因する干渉（co-location interference）により、もう一方の送受信器の受信器は受信感度が鈍り、その所期の信号をうまく受信できない。
【発明の開示】
【発明が解決しようとする課題】
【０００６】
したがって、ＷＬＡＮ送受信器とブルートゥース送受信器のコロケーションを可能にし、それに関連したコロケーションに起因する干渉を軽減または除去する技術および装置を提供することが望ましいはずである。
【課題を解決するための手段】
【０００７】
本発明によるシステムおよび方法は、異なる送受信器、例えばＷＬＡＮ送受信器とブルートゥース（ＢＴ）送受信器が伝送媒体を共用できるようにする調停の方法、システム、および装置を提供することによって、この必要その他に対処する。様々な調停信号（arbitration signals）により、送受信器は媒体の使用権獲得（seizure of ownership of the medium）を示すことが可能となり、ならびに特別な調停ケース、例えば優先パケットの送／受信などにも対応できるようになる。一部の調停機能は、設計に融通性をもたらすためにハードウェア・プログラムが可能である。
【０００８】
本発明の１つの例示的な実施形態によれば、第１送受信器と第２送受信器との間で無線媒体へのアクセスを調停する方法は、第２送受信器により第１調停信号線をアサート（asserting）するステップであって、その際、第１送受信器が送信を妨げられることになるステップと、第１送受信器により第２調停信号線をアサートするステップであって、その際、第２送受信器が送信を妨げられることになるステップと、第２送受信器により第３調停信号線をアサートするステップであって、その際、第２送受信器が優先パケットを送信または受信することになるステップと、第１送受信器により第４調停信号線をアサートするステップであって、その間に第１送受信器が第１着信パケットに関連するアドレスを評価するステップとを含む。
【０００９】
本発明の他の例示的な実施形態によれば、送受信器システムは、第１パケットを送信および受信するための第１送受信器と、第２パケットおよび第１送受信器を第２送受信器に接続する複数の調停信号線を送信および受信するための第２送受信器とを含み、複数の調停信号線は、第２送受信器によりアサートされ、その際、第１送受信器が送信を妨げられることになる、第１調停信号線と、第１送受信器によりアサートされ、その際、第２送受信器が送信を妨げられることになる、第２調停信号線と、第２送受信器によりアサートされ、その際、第２送受信器が優先パケットを送信または受信することになる、第３調停信号線と、第１送受信器によりアサートされ、その間に第１送受信器が第１着信パケットに関連するアドレスを評価する、第４調停信号線とを含む。
【００１０】
添付の図面は本発明の例示的な実施形態を示す。
【００１１】
以下の本発明の詳細な説明は、添付の図面を参照する。異なる図面の同じ参照番号は、同じまたは類似の要素を識別する。また、以下の詳細な説明は、本発明を限定するものではない。その代わりに、本発明の範囲は添付の特許請求の範囲によって定義される。
【発明を実施するための最良の形態】
【００１２】
この議論にある背景を与えるために、まず図２に関して１つの例示的なＷＬＡＮシステムが説明される。しかし、本発明がいずれかの具体的なＷＬＡＮシステムへの実装に限定されるものでないことは当業者には理解されよう。そこでは、有線ネットワーク１０（例えばイーサネット・ネットワーク）が、そのネットワークに接続されたファイル・サーバ１２およびワークステーション１４を有する。典型的な有線ネットワークが多くの固定ワークステーション１４を処理することになるが、図２では、簡単にするために１つしか示されていないことは当業者には理解されよう。有線ネットワーク１０はまた、ルータ１８を介してＷＬＡＮ１６に接続される。ルータ１８はＷＬＡＮ１６のアクセス・ポイント（ＡＰ）を前記有線ネットワークと相互接続し、その接続を介して、アクセス・ポイントは、例えば、ファイル・サーバ１２と通信することができる。図２の例示的なＷＬＡＮシステムでは、それぞれが各自のＡＰをもつ、３つのセル２０、２２、および２３（ときには基本サービス・セット（ＢＳＳ）または基本サービス・エリア（ＢＳＡ）とも呼ばれる）が示されているが、ここでもまた、これより多くの、あるいはこれより少ないセルがＷＬＡＮ１６に提供されてよいことは当業者には理解されよう。各セル内で、各ＡＰは無線接続を介していくつかの無線局（Ｗ）にサーブする。無線局Ｗはどんな装置、例えばパーソナル・コンピュータ、携帯情報端末、カメラ、携帯電話、あるいはＩＳＭ帯域（２．４ＧＨｚ）で動作するＷＬＡＮ技術、例えば８０２．１１ｂ／ｇを介してシステムと通信可能な１つのＷＬＡＮ送受信器を有し、そこにブルートゥース送受信器を統合してもつ他のどんな装置であってもよい。さらに、ブルートゥース送受信器を備えるいくつかの装置、例えばプリンタあるいはヘッドセットがセル２０、２２、および２３内にあり、これらは無線局Ｗと通信する。
【００１３】
図３に示されるように、各無線局Ｗは、ＷＬＡＮ送／受信およびブルートゥース送／受信のために２つの送受信器３０（「ＷＬＡＮ送受信器」）および３２（「ＢＴ送受信器」）を備える。本発明のこの例示的な実施形態によれば、２つの送受信器３０および３２による送信に関連するコロケーションに起因する干渉を軽減または除去するように意図された方法で２つの送受信器からの送信を制御するために、４つの調停信号、ＲＸＩＮＤ、ＷＬ、ＢＴ、およびＰＲＩが使用される。この例示的な実施形態ではまた、ブルートゥース送受信器がマスター装置として動作するのか、それともスレーブ装置として動作するのかを考慮する。本発明の１つの例示的な実施形態によれば、ＢＴ送受信器３２をマスターとする視点からの調停の概略は、図４の流れ図に示されるように動作する。そこでは、ＢＴ送受信器３２が、ステップ４０で、送信すべきデータをもつと、ステップ４１で、ＲＸＩＮＤ信号線をチェックする。ＷＬＡＮ送受信器３０が着信ＷＬＡＮパケットを検出すると、ＲＸＩＮＤ信号が高に設定される。これにより、ＷＬＡＮ送受信器３０に、着信パケットが読んで、おそらく応答または返答する必要のあるものであるかどうかを判定する機会が与えられる。すなわちそれがＷＬＡＮ送受信器３０に宛てられたユニキャスト・フレームである場合である。同様に、着信ＷＬＡＮパケットがＷＬＡＮ送受信器に宛てられたものでない場合は、ＷＬＡＮ送受信器３０はＷＬ信号線をアサートせず、ＢＴ送受信器３２がその媒体を使用できるようにする。したがってＲＸＩＮＤが高に設定されている場合、ステップ４２で、ＢＴ送受信器３２は、１ブルートゥース・パケット期間のあいだ待つ。
【００１４】
フローはステップ４３に進み、そこでＢＴ送受信器３２がＷＬ信号線をチェックする。ＷＬＡＮ送受信器３２がＷＬＡＮデータを送信する権利を留保する必要があるとき、ＷＬ信号線は高に設定される。ＷＬ信号が高の場合、ＢＴ送受信器は、ＷＬＡＮ送受信器がＷＬを低に設定するまで、ステップ４４を通るループを介して待つ。次いで、ステップ４５で、ＢＴ送受信器３２がＢＴ信号を高に設定し、これによりＷＬＡＮ送受信器３０に、ＢＴ送受信器３２がＢＴデータを送信するためにその媒体を留保していることを示す。ステップ４６で、ＢＴ送受信器はＷＬ信号を再度チェックする。このステップは、競合状態、例えばＢＴ送受信器３２がＢＴ信号を上げるのと同時に、ＷＬＡＮ送受信器３０がＷＬ信号を上げるといったことを防ぐために、本発明の例示的実施形態に与えられてよい。ステップ４３および４６でＢＴ送受信器３０がＷＬ信号をチェックする間にＷＬＡＮ送受信器３０がＷＬ信号を上げた場合、ステップ４７で、ＢＴ送受信器は、ＷＬＡＮ送受信器がＷＬ信号線をディアサート（de-assert）するのを待つ。ステップ４６で結果が「ＮＯ」になると、フローはステップ４８へ進み、そこでＢＴ送受信器３２がブルートゥース・データ・フレームの送信を進める。
【００１５】
マスターとして動作するＢＴ送受信器３２は、例えば、応答を受信するために、図５に示すように、フレームの受信期間を通してＢＴ信号を高レベルに維持する。この例では、ＷＬ信号線およびＲＸＩＮＤ信号線はこの期間を通して低であることに留意されたい。次いで、ステップ４９で、ＢＴ送受信器３２はＢＴ信号線を下げて、ＷＬＡＮ送受信器が媒体にアクセスできるようにする。あるいは、ＢＴ送受信器３２がスレーブ装置として、すなわちＢＴマスターの送信を待ち、着信トラフィックに返答するだけの装置として動作している場合、ＢＴ送受信器３２は、ＲＸ期間の前にＢＴ信号線をアサートする。スレーブ・モードで動作するＢＴ送受信器３２によってパケットが検出されない場合、ＢＴ送受信器３２は即座にＢＴ信号線をディアサートする。一方、ＢＴ送受信器３２が着信ＢＴパケットを検出した場合、残りのパケットの受信を保護し、媒体を次の送信スロット用に留保するために、ＢＴ送受信器３２はＢＴ線をその高の状態に保つ。
【００１６】
次にＷＬＡＮの送信および受信に目を向けると、ＷＬＡＮの視点からＷＬＡＮ送受信器３０とＢＴ送受信器３２との間を調停する例示的な方法が図６に示されている。そこでは、ＷＬＡＮ送受信器３２が、ステップ６０で、送信を望んでいると判定すると、ステップ６１で、まずＢＴ信号線をチェックする。ＢＴ信号線が高の場合、ＷＬＡＮ送受信器３０は、ＢＴ信号線がディアサートされるまで待つ（ステップ６２）。次いで、ステップ６３で、ＷＬＡＮ送受信器３０は、ＷＬ信号を上げて送信媒体に対するその使用権をアサートする。ステップ６３のタイミングは、本発明の例示的な諸実施形態に応じて様々であってよい。図５に示されるように、ＷＬＡＮシステムにバックオフ期間が与えられ、その期間中にＷＬＡＮ送受信器３０は媒体を監視して、他のＷＬＡＮ装置がその媒体にアクセスしているかどうかを調べる。他のＷＬＡＮ装置が媒体にアクセスしていると判定した場合、ＷＬＡＮ送受信器３０はそのバックオフ・タイマを止め、再度スタートさせてアクセスを遅らせる。したがって、本発明の例示的な実施形態は、ＷＬ信号線がＷＬ送受信器によって上げられる時間が、バックオフ期間のどの時点にでもなるようにプログラム可能であるよう考慮している。１つの純粋に例示的な実施形態によれば、ＷＬＡＮ送受信器３０の媒体アクセス制御層（medium access control layer）のハードウェア部分が、バックオフ期間終了の所定のマイクロ秒数前に、ＷＬ信号線をアサートする。あるいは、システムは、例えばトラフィック条件に基づいて、ＷＬ信号線が上げられる時間をバックオフ期間内で適宜様々にすることもできる。
【００１７】
ステップ６３でＷＬ信号線が上げられた後、ステップ６４で、ＷＬＡＮ送受信器がＷＬＡＮパケットを送信する。送信すべきパケットがより多くある場合、すべてのＷＬＡＮパケットが送信されるまで、フローはステップ６４および６５をループする。パケットの送信が完了すると、ステップ６６および６７で、ＷＬＡＮ送受信器は、ＡＰからの応答パケットの受信を待つか、あるいは応答ウィンドウが時間切れになるまで待つ。次いで、ステップ６８で、ＷＬＡＮ送受信器３０は、ＷＬ信号を下げ、それによりＢＴ送受信器３２が使用できるように媒体を解放する。
【００１８】
例えば断片化フレームやバースト・フレームに、あるいは追加のフレームがＷＬＡＮ送受信器によって直ちに送信されなければならない他の事例に対応するために、パケットを送信する必要と応答を待つ必要から決定された時間を超える期間にわたってＷＬＡＮ送受信器３０がＷＬ信号を高のままにしておくことが好ましいこともある。例えば、断片化フレームおよびバースト・フレームは、単一のＳＩＦＳ期間によって分けられているので、所定の期間内で検出されてよい。したがってプログラム可能な、延長されたＷＬ高信号期間（extended WL high signal period）は、ステップ６６と６８との間に与えられてよい。延長されたＷＬ高信号期間はプログラム可能であるので、メーカー、インストール実施者、および／またはその他のユーザがこの期間を様々にして、例えば断片化フレームおよびバースト・フレームの受信ミスを避けたいという希望とＢＴ送受信器３２に帯域幅を提供する必要性とのバランスを取ることが可能である。本発明の例示的な実施形態のもう１つの特徴は、ステップ６８でＷＬＡＮ送受信器がＷＬ信号線をディアサートした後に開始するもう１つのタイマの提供である。このタイマは、ＷＬ送受信器３０によるＷＬ信号線の２度のアサーションの間で、ＢＴ送受信器３２が着信ＢＴパケットを送信および／または受信する周期的な機会をもてるようにする最小限の時間を提供するのに使用されてよい。この後者の期間は、可変的でありプログラム可能である。
【００１９】
上記で述べたように、受信サイドでは、ＷＬＡＮ送受信器３０が、着信ＷＬパケットのプリアンブル（incoming WL packet preamble）を検出すると、着信パケットに関連するアドレスを復号するまで、ＲＸＩＮＤ信号線を上げる。着信パケットがＷＬＡＮ送受信器３０に宛てられている場合、ＷＬＡＮ送受信器３０はパケット受信期間のあいだＷＬ信号を上げる。さらに、受信されたフレームが応答を必要とする場合、あるいは断片化フレームまたはバースト・フレームが受信された場合、ＷＬＡＮ送受信器３０は、フレーム交換シーケンスが完了するまでＷＬ信号線をアサートし続ける。一方、受信されたＷＬＡＮフレームがブロードキャスト・フレームである場合、あるいはフレームがエラーを含む場合、ＷＬＡＮ送受信器３０は、その部分でそれ以上の行為が伝送媒体へのアクセスを必要としないので、すぐにＷＬ信号線をディアサートできる。
【００２０】
図３に戻ると、本明細書で論じるべき最後の調停信号は、ブルートゥース優先信号ＰＲＩである。この信号により、ＢＴ送受信器３２は、ＷＡＬＮ送受信器３０に、送信または受信すべき高優先パケット、例えば音声データを運搬するのに使用されるＨＶ３パケットをもっていることを知らせることが可能になる。高優先パケットがＢＴ送受信器３２によって送信されることになった場合、ＢＴ送受信器３２は送信に先立ってＰＲＩ信号線を上げる。ＰＲＩ信号線がアサートされると、ＷＬＡＮ送受信器３０は進行中の送信をすべて止め、ＷＬ信号線を低に戻す。ＷＬＡＮ送受信器３０が応答パケットの受信を待っている場合、あるいはその反対でパケットの受信を待っている場合、ＷＬＡＮ送受信器３０は、留保された媒体の保護なしであっても受信モードのままでいることができる。ＲＸＩＮＤ信号線はＰＲＩ信号のアサートに影響を受けず、ＷＬＡＮ送受信器３０がパケットの存在を検出するあいだ高を維持する。ＢＴ送受信器３２が、優先パケットの送信を望むとき、すでに媒体の使用権をもつ場合、ＢＴ送受信器は、次のＴＸスロットの終了までＢＴ信号線を高のまま維持し、そうでなければＢＴ信号も上げる。
【００２１】
高優先パケットがＢＴ送受信器３２によって受信される場合、ＢＴ送受信器３２は次のＲＸスロットの開始時にＰＲＩ信号を上げる（図５参照）。次いで、次のＴＸスロットの開始時に、ＢＴ送受信器３２はまたＢＴ信号線を上げる。ＢＴ送受信器３２が、高優先パケットの受信を望むときにすでに媒体の使用権を有する場合、ＢＴ送受信器３２は、ＰＲＩ線を上げるときにＢＴ信号線を解放する。上記の例示的な調停処理により、システムは、受信されたＢＴ高優先パケット（ＰＲＩは高、ＢＴは低）と送信されたＢＴ高優先パケット（ＰＲＩとＢＴの両方が高に設定）とを区別することができる。
【００２２】
上記で説明した例示的な実施形態は、本発明を限定するのではなく、本発明をすべての点で例示するものであるよう意図されている。したがって本発明は、本明細書に含まれる説明から引き出すことのできる数多くの変形形態が詳細な実装において当業者により可能である。かかるすべての変形形態および修正形態は、以下の特許請求の範囲によって定義される本発明の範囲および趣旨の内にあると考えられる。本出願の説明で使用される要素、行為、あるいは指示は、本発明に決定的に必要あるいは不可欠であると明示的に記載されているのでない限り、いずれもそのようなものとして解釈されてはならない。また、本明細書で使用されるとき、冠詞「ａ」は１つまたは複数の項目を含むように意図されている。
【図面の簡単な説明】
【００２３】
【図１（ａ）】ハンドセットにコロケートされたＷＬＡＮ送受信器とブルートゥース送受信器とを概念的に示す図である。
【図１（ｂ）】図１（ａ）のＷＬＡＮ送受信器とブルートゥース送受信器に関連する送信を示す図である。
【図２】本発明が実装されてよいＷＬＡＮ／ＢＴシステムを示す図である。
【図３】ＷＬＡＮ送受信器、ＢＴ送受信器、および本発明の例示的な実施形態による複数の調停信号線を含む送受信器システムを示す図である。
【図４】本発明の例示的な実施形態による、ブルートゥース・パケット送信における送信媒体へのアクセスを調停する方法を示す流れ図である。
【図５】本発明の例示的な実施形態による、調停信号および無線インターフェース・フォーマットを示すタイミング図である。
【図６】本発明の例示的な実施形態による、ブルートゥース・パケット送信における送信媒体へのアクセスを調停する方法を示す流れ図である。
【図１（Ａ）】
2008502262.tif 000002
【図１（Ｂ）】
2008502262.tif 000003
【図２】
2008502262.tif 000004
【図３】
2008502262.tif 000005
【図４】
2008502262.tif 000006
【図５】
2008502262.tif 000007
【図６】
2008502262.tif 000008
【国際調査報告】
2008502262.tif 000009
2008502262.tif 000010
2008502262.tif 000011